(57)【要約】【課題】  従来のパッチの色から透明記録材の付与量を決定する方法においては、透明記録材の付与量が大きく異なっていても測定結果において近い色を示す場合があり、高い精度が得られなかった。【解決手段】  パッチの反射強度から透明記録材の付与量を決定する構成においては、透明記録材の付与量と反射強度との関係が一次元で増加するような測定結果が得られるため、高精度に付与量を決定することが可能となる。【選択図】  図１０
2020124916.tif 000002
【特許請求の範囲】
【請求項１】
付与手段から色材を含む有色記録材と色材を含まない透明記録材とを付与することにより記録媒体上に画像を記録する記録装置のための情報処理方法であって、
有色記録材及び透明記録材を用いて透明記録材用のパッチを記録媒体上に記録する記録工程と、
前記透明記録材用のパッチの正反射光の反射強度を取得する取得工程と、
前記取得工程において取得された反射強度と、透明記録材の付与量に対する反射強度を示すターゲット値と、に基づき、画像記録時の透明記録材の付与量を決定するための情報を生成する生成工程と、
を有することを特徴とする情報処理方法。
【請求項２】
前記記録工程において、前記透明記録材用のパッチは、記録媒体上に有色記録材により形成された有色記録材層の上に、透明記録材による透明記録材層を形成することにより記録されることを特徴とする請求項１に記載の情報処理方法。
【請求項３】
透明記録材層は、記録される画像の光沢性を向上させる層であることを特徴とする請求項１または２に記載の情報処理方法。
【請求項４】
前記記録工程において、前記透明記録材用のパッチは、記録媒体上に透明記録材により形成された透明記録材層の上に、有色記録材による有色記録材層を形成することにより記録されることを特徴とする請求項１に記載の情報処理方法。
【請求項５】
前記記録工程において、前記透明記録材用のパッチは、記録媒体上に透明記録材と有色記録材を同時に付与することにより記録されることを特徴とする請求項１に記載の情報処理方法。
【請求項６】
透明記録材は、色材を凝集させる成分を含むことを特徴とする請求項４または５に記載の情報処理方法。
【請求項７】
前記透明記録材用のパッチは、透明記録材の付与量が互いに異なる複数のパッチを含み、前記取得工程において当該複数のパッチそれぞれについて反射強度が取得されることを特徴とする請求項１から６のいずれか１項に記載の情報処理方法。
【請求項８】
前記取得工程において取得される反射強度は、Ｒ、Ｇ、Ｂのいずれか１つの発光部からの照射光の正反射光の反射強度であることを特徴とする請求項１から７のいずれか１項に記載の情報処理方法。
【請求項９】
有色記録材を付与し、且つ、透明記録材を付与せずに、有色記録材用のパッチを記録する第２記録工程と、
前記有色記録材用のパッチの測定結果に基づき、有色記録材の付与量を決定するための有色記録材の付与量情報を生成する第２生成工程と、
前記第２生成工程において生成された有色記録材の付与量情報に基づき、前記透明記録材用のパッチを記録するためのパッチデータにおける有色記録材の付与量を決定する決定工程と、
をさらに有し、
前記記録工程において、前記決定工程において有色記録材の付与量が決定された前記パッチデータに基づき、前記透明記録材用のパッチが形成されることを特徴とする請求項１から８のいずれか１項に記載の情報処理方法。
【請求項１０】
前記有色記録材用のパッチは、有色記録材の付与量が互いに異なる複数のパッチを含むことを特徴とする請求項９に記載の情報処理方法。
【請求項１１】
前記有色記録材用のパッチの測定結果は、前記有色記録材用のパッチの拡散光の反射強度であることを特徴とする請求項９または１０に記載の情報処理方法。
【請求項１２】
前記有色記録材用のパッチ記録工程の後、前記記録工程までの間に、他の画像データに基づいて画像を記録する記録工程を行わないことを特徴とする請求項９から１１のいずれか１項に記載の情報処理方法。
【請求項１３】
前記有色記録材層を測定したＯＤ値は、０．５以上であることを特徴とする請求項２または３に記載の情報処理方法。
【請求項１４】
前記有色記録材層を測定したＯＤ値は、１．０以上であることを特徴とする請求項２または３に記載の情報処理方法。
【請求項１５】
有色記録材に含まれる色材はブラックの色材であることを特徴とする請求項１から１４のいずれか１項に記載の情報処理方法。
【請求項１６】
前記付与手段は、有色記録材を付与するための記録素子と透明記録材を付与するための記録素子とを有することを特徴とする請求項１から１５のいずれか１項に記載の情報処理方法。
【請求項１７】
有色記録材及び透明記録材はインクであることを特徴とする請求項１から１６のいずれか１項に記載の情報処理方法。
【請求項１８】
請求項１から１７のいずれか１項に記載の情報処理方法の各工程をコンピュータに実行させるためのプログラム。
【請求項１９】
付与手段から色材を含む有色記録材と色材を含まない透明記録材とを付与することにより記録媒体上に画像を記録するための情報処理装置であって、
有色記録材及び透明記録材を用いて透明記録材用のパッチを記録媒体上に記録するように前記付与手段を制御する制御手段と、
前記透明記録材用のパッチの正反射光の反射強度を取得する取得手段と、
前記取得手段により取得された反射強度と、透明記録材の付与量に対する反射強度を示すターゲット値と、に基づき、画像記録時の透明記録材の付与量を決定するための情報を生成する生成手段と、
を備えることを特徴とする情報処理装置。
【請求項２０】
前記取得手段は、Ｒ、Ｇ、Ｂのいずれかの発光部から照射された正反射光の反射強度を取得するためのセンサーを備えることを特徴とする請求項１９に記載の情報処理装置。
【請求項２１】
前記付与手段をさらに備え、前記付与手段は、有色記録材を付与するための記録素子と透明記録材を付与するための記録素子とを有することを特徴とする請求項１９または２０に記載の情報処理装置。
【発明の詳細な説明】
【技術分野】
【０００１】
本発明は、記録媒体上に画像を記録するための情報処理方法、情報処理装置及びプログラムに関する。
【背景技術】
【０００２】
従来、複数の吐出口を有する記録ヘッドを備えたインクジェット記録装置が知られている。インクジェット記録装置においては、個々の記録ヘッドの吐出特性の違いに起因して、記録画像において所望の色調が得られないことが知られている。この記録ヘッドの吐出特性の差により、画像に生じる色差に対して色ずれ補正処理が行われている。
【０００３】
一方、記録画像の画質を向上させる目的や光沢感を付与する目的で、色材を含有しない透明インクが用いられている。前述の吐出特性の差は、透明インクを用いる場合にも生じる。すなわち、色材を含有するインクと同様に、透明インクの吐出特性の差についても補正を施す必要がある。このとき、透明インクの吐出特性を取得するためのパッチパターンは、測定精度が低いという課題がある。
【０００４】
特許文献１には、色材を含まないクリアインクのキャリブレーションにおいて、クリアインク層の下に黒インクによる黒インク層が形成されたパッチを記録することが開示されている。特許文献１に開示の方法では、クリアインクのキャリブレーションのためのパッチの測定結果から干渉色を算出することで吐出量を推定する。具体的には、光学センサーの発光部であるＲ、Ｇ、ＢのＬＥＤを順次点灯させ、正反射光を読み取り、その３色の強度比率からクリアインクの吐出量を推定する。
【先行技術文献】
【特許文献】
【０００５】
【特許文献１】特開２０１７−２１７８９１号公報
【発明の概要】
【発明が解決しようとする課題】
【０００６】
しかしながら、上記方法では、測定時の僅かな誤差等の要因によって読み取った３色の強度比率のバランスが大きく変わってしまうため、クリアインクの吐出量の推定を高精度に行うことは難しい。このような課題に対し、本発明は、透明インクの付与量を決定する処理を高精度に実行することが可能な情報処理方法、情報処理装置及びプログラムを提供することを目的とする。
【課題を解決するための手段】
【０００７】
このような課題を鑑み、本発明は、付与手段から色材を含む有色記録材と色材を含まない透明記録材とを付与することにより記録媒体上に画像を記録する記録装置のための情報処理方法であって、有色記録材及び透明記録材を用いて透明記録材用のパッチを記録媒体上に記録する記録工程と、前記透明記録材用のパッチの正反射光の反射強度を取得する取得工程と、前記取得工程において取得された反射強度と、透明記録材の付与量に対する反射強度を示すターゲット値と、に基づき、画像記録時の透明記録材の付与量を決定するための情報を生成する生成工程と、を有することを特徴とする。
【発明の効果】
【０００８】
本発明の構成により、高精度に透明記録材の付与量を決定することが可能となる。
【図面の簡単な説明】
【０００９】
【図１】記録システムの制御構成を示すブロック図
【図２】記録装置の機械的構成を説明するための概略斜視図
【図３】記録ヘッドの正面図
【図４】多目的センサーの構成を示す図
【図５】記録システムの画像処理フローを示すブロック図
【図６】透明インクのパッチの構成を示す図
【図７】キャリブレーション処理で記録されるパッチパターンを示す図
【図８】有色インクのキャリブレーション処理を示すフローチャート
【図９】透明インクのキャリブレーション処理を示すフローチャート
【図１０】測定結果と生成された補正ＬＵＴを示す図
【図１１】透明インクパッチの付与量と反射強度の関係を示す図
【図１２】第２の実施形態におけるパッチパターンを示す図
【図１３】第３の実施形態におけるパッチパターンを示す図
【図１４】第４の実施形態の画像処理構成を示すブロック図
【図１５】間引きマスクを生成する処理を説明するための図
【発明を実施するための形態】
【００１０】
（第１の実施形態）
以下、図面を参照して、本発明の一実施形態を説明する。
【００１１】
図１は、本実施形態に係る記録システムの制御構成を示すブロック図である。本実施形態の記録システムは、ホスト装置１００と記録装置２００によって構成される。ホスト装置１００は、パーソナルコンピュータやデジタルカメラなどの情報処理装置である。記録装置２００はインターフェース２１を介してホスト装置１００と接続されており、後述する画像処理工程におけるＲ′、Ｇ′、Ｂ′で表される記録データと、その後の画像処理用のテーブルをホスト装置１００から受信する。そして、記録装置２００において、送信された画像処理情報を基に、特に後述の色処理、２値化処理等の画像処理や、記録特性の補正処理が実行され、各種画像処理が施された記録データに基づき、記録媒体上に画像を記録する。
【００１２】
記録装置２００において、制御部２０は、マイクロプロセッサ等のＣＰＵ２０ａ、ＲＯＭ２０ｃ及びＲＡＭ２０ｂ等をメモリとして備える。ＲＯＭ２０ｃは、ＣＰＵ２０ａの制御プログラムや記録動作に必要なパラメータなどの各種データを格納する。ＲＡＭ２０ｂは、ＣＰＵ２０ａのワークエリアとして使用されると共に、ホスト装置１００から受信した画像データや生成した記録データなどの各種データを一時的に保管する。また、ＲＯＭ２０ｃには、補正情報としてのＬＵＴ（ルックアップテーブル）が格納され、ＲＡＭ２０ｂには、パッチパターンを記録するためのパッチパターンデータが格納されている。尚、ＬＵＴは、ＲＡＭ２０ｂに格納されていてもよく、パッチパターンデータは、ＲＯＭ２０ｃに格納されていてもよい。また、後述する色ずれ補正ＬＵＴと、色ずれ補正ＬＵＴを生成するための制御プログラムはＲＯＭ２０ｃに格納されている。
【００１３】
制御部２０は、ホスト装置１００との間で、インターフェース２１を介し、画像データ等記録に用いられるデータやパラメータを入出力する処理や、操作パネル２２から各種情報、例えば文字ピッチや文字種類等を入力する処理を行う。また、制御部２０は、インターフェース２１を介し、各モータ２３〜２６を駆動させるためのＯＮ、ＯＦＦ信号を出力する。また、制御部２０は、吐出信号等をドライバ２８に出力し、記録ヘッドからインクを吐出するための記録素子の駆動を制御する。
【００１４】
また、この制御系は、インターフェース２１、操作パネル２２、多目的センサー１０２、ドライバ２７及び２８を有する。ドライバ２７は、ＣＰＵ２０ａからの指示に従って、キャリッジ駆動用のモータ２３、給紙ローラ駆動用のモータ２４、搬送ローラ３駆動用のモータ２５及び搬送ローラ４駆動用のモータ２６を駆動する。同様に、ドライバ２８は、記録ヘッド５を駆動する。
【００１５】
図２は、記録装置２００の機械的構成を説明するための概略斜視図である。記録用紙、プラスチックシート等の記録媒体１は、不図示のカセット等に複数枚が積層されることにより、記録時には不図示の給紙ローラによって１枚ずつ分離され、給紙される。給紙された記録媒体１は、一定間隔を隔てて配置される搬送ローラ３及び搬送ローラ４により、記録ヘッドの走査に応じたタイミングで矢印Ａ方向（以下、搬送方向とも称する。）に所定量ずつ搬送される。搬送ローラ３は、ステッピングモータ（不図示）によって駆動される駆動ローラと駆動ローラの回転にともなって回転する従動ローラの１対のローラからなる。同様に、搬送ローラ４も１対のローラからなる。尚、記録装置２００は、所定の大きさにカットされ、カセットに積層された記録媒体だけでなく、ロール状に設置され、搬送方向における長さの長い記録媒体に対しても画像を記録することが可能である。
【００１６】
記録ヘッド５は、キャリッジ６に搭載される。そして、ベルト７及びプーリ８ａ、８ｂを介し、キャリッジモータ２からの駆動力がキャリッジ６に伝達される。この駆動力によって、ガイドシャフト９に沿って図の矢印Ｂ方向（以下、走査方向と称する。）にキャリッジ６が往復走査する。この往復走査中に記録ヘッド５からインク滴が吐出され、記録媒体１上に画像が記録される。また、キャリッジ６の側面には後述する多目的センサー１０２が搭載される。多目的センサー１０２は、記録媒体１に吐出されたインクの濃度検出や光沢度検出、記録媒体の幅検出、記録ヘッドから記録媒体までの距離検出等に用いられる。
【００１７】
記録ヘッド５は、必要に応じてホームポジションに移動し、ホームポジションに設けられた吐出回復装置によって回復動作が行われることにより、吐出口の目詰まり等に起因する各吐出口の吐出不良の状態から回復する。記録ヘッド５による記録走査の後、搬送ローラ３及び４が駆動され、記録媒体１が搬送方向に所定量搬送される。このような記録ヘッド５の記録走査と、記録媒体の搬送動作とを交互に繰り返すことにより、記録媒体１に画像が記録される。
【００１８】
図３は、記録ヘッド５を、吐出口が配置された面から見た正面図である。本実施形態の記録ヘッド５は、記録素子からのエネルギーによって吐出口（ノズル）からインクを吐出する、いわゆるインクジェット記録方式の記録ヘッドである。同じインクを吐出するための吐出口が配列方向に沿って並んで列状に配され、記録ヘッド５が走査する走査方向に見て重複するように、複数列の吐出口列が配列されている。本実施形態では、インクを吐出する各吐出口の内部に、記録素子として電気熱変換素子（ヒータ）が設けられている。画像データに基づく吐出信号に応じて電気熱変換素子が駆動され、発生した熱エネルギーを利用してインクに気泡を生じさせ、この気泡の圧力によって吐出口内のインクが吐出される。吐出されたインク滴が記録媒体１に着弾し、記録媒体１上でドットを形成する。
【００１９】
本実施形態では、記録材としてインクを用い、色材を含む有色記録材としてカラーインク、色材を含まない透明記録材として透明インクを用いる。本実施形態の記録ヘッド５は、シアンの色材を含有するシアンインク（Ｃ）、マゼンタの色材を含有するマゼンタインク（Ｍ）、イエローの色材を含有するイエローインク（Ｙ）、ブラックの色材を含有するブラックインク（Ｋ）の４色の有色インクを吐出する。さらに、記録ヘッド５は、色材を含有しない透明インク（Ｓ）を吐出する。これらのインクは、不図示のインクカートリッジから供給され、吐出口列５ａ〜５ｅから吐出される。本図において、吐出口列５ａにはシアンインク（Ｃ）、５ｂにはマゼンタインク（Ｍ）、５ｃにはイエローインク（Ｙ）、５ｄにはブラックインク（Ｋ）、５ｅには透明インク（Ｓ）が供給される。尚、簡単のため、本図の各吐出口列にはそれぞれ吐出口が１０個ずつ形成された例を示したが、吐出口の数、及び、吐出口列の数は、これらの数に限られない。また、有色インクの色も上記例に限られない。
【００２０】
＜インク処方＞
ここで、インクの処方について詳細に説明する。尚、文中「部」及び「％」との記載は、特に断りのない限り、質量基準を示す。
【００２１】
＜顔料分散液の調製＞
（ブラック顔料分散液の調製）
まず、顔料２０．０部、樹脂水溶液６０．０部及び水２０．０部を、０．３ｍｍ径のジルコニアビーズの充填率を８０％としたビーズミル（ＬＭＺ２；アシザワファインテック製）に入れ、回転数１，８００ｒｐｍで５時間分散した。なお、顔料としては、カーボンブラック（商品名：プリンテックス９０；デグサ製）を用いた。また、樹脂水溶液としては、スチレン−アクリル酸共重合体であるジョンクリル６７８（ジョンソンポリマー製）を、酸価と当量の水酸化カリウムで中和したものを含む、樹脂（固形分）の含有量が２０．０％である水溶液として用いた。その後、回転数５，０００ｒｐｍで３０分間遠心分離を行うことにより凝集成分を除去し、さらにイオン交換水で希釈することで、顔料の含有量が１５．０％、水溶性樹脂（分散剤）の含有量が９．０％であるブラック顔料分散液を得た。
【００２２】
（マゼンタ顔料分散液の調製）
顔料をＣ．Ｉ．ピグメントレッド１２２（商品名：トナーマゼンタＥ０２；クラリアント製）に変更した。それ以外は、上記のブラック顔料分散液の調製と同様の手順により、顔料の含有量が１５．０％、水溶性樹脂（分散剤）の含有量が９．０％であるマゼンタ顔料分散液を得た。
【００２３】
（シアン顔料分散液の調製）
顔料をＣ．Ｉ．ピグメントブルー１５：３（商品名：トナーシアンＢＧ；クラリアント製）に変更した。それ以外は、上記のブラック顔料分散液の調製と同様の手順により、顔料の含有量が１５．０％、水溶性樹脂（分散剤）の含有量が９．０％であるシアン顔料分散液を得た。
【００２４】
（イエロー顔料分散液の調製）
顔料をＣ．Ｉ．ピグメントイエロー７４（商品名：Ｈａｎｓａ  Ｂｒｉｌｌｉａｎｔ  Ｙｅｌｌｏｗ  ５ＧＸ；クラリアント製）に変更した。それ以外は、上記のブラック顔料分散液の調製と同様の手順により、顔料の含有量が１５．０％、水溶性樹脂（分散剤）の含有量が９．０％であるイエロー顔料分散液を得た。
【００２５】
＜インクの調整＞
表１の上段に示す各成分（単位：％）を混合した後、ポアサイズが１．２μｍであるメンブレンフィルター（ＨＤＣＩＩフィルター；ポール製）にて加圧ろ過することで、顔料インク１〜６をそれぞれ調製した。イオン交換水の使用量は、成分の合計量が１００．０％となる含有量とした。なお、アセチレノールＥ１００は川研ファインケミカル製の界面活性剤である。表１の下段には、顔料インク中の顔料の含有量（単位：％）を示した。このようにして得られたインクをそれぞれカートリッジに充填した。
【００２６】
【表１】
2020124916.tif 000003
【００２７】
＜透明インクＳの調整＞
〇樹脂水溶液の調整
樹脂水溶液としては、スチレン−アクリル酸共重合体であるジョンクリル６７８（ジョンソンポリマー製）を、酸価と当量の水酸化カリウムで中和したものを含む、樹脂（固形分）の含有量が２０．０％であるものを用いた。
【００２８】
〇インクの調整
表２に示す各成分（単位：％）を混合した後、ポアサイズが１．２μｍであるメンブレンフィルター（ＨＤＣＩＩフィルター；ポール製）にて加圧ろ過することで、樹脂を含有する透明インクＳを調製した。イオン交換水の使用量は、成分の合計量が１００．０％となる含有量とした。なお、アセチレノールＥ１００は川研ファインケミカル製の界面活性剤である。このようにして得られた透明インクをカートリッジに充填した。
【００２９】
【表２】
2020124916.tif 000004
【００３０】
尚、本実施形態における透明インク（Ｓ）は、有色インクで形成された有色インク層の上に付与するためのインクである。有色インクの上に透明インクが付与されることによって、有色インク層のみの場合に比べて、記録された画像の表面の光沢度を上げることができる。
【００３１】
また、本実施形態における透明インク（Ｓ）は、上記のほかに、有色インクと反応して有色インクを定着させたり、有色インクの発色を向上させるような機能を持つインクでも構わない。
【００３２】
透明インク（Ｓ）の別の例として有色インクと反応する反応液を以下に挙げる。
【００３３】
本実施形態で使用する反応液は、有色インクに含まれる顔料と反応し、該顔料を凝集又はゲル化させる反応性成分を含有する。この反応性成分とは、具体的には、イオン性基の作用によって水性媒体中に安定に分散されている顔料を有する有色インクと記録媒体上などで混合された場合に、該インクの分散安定性を破壊することができる成分であり、詳細には、本実施形態ではグルタル酸を用いる。
【００３４】
なお、必ずしもグルタル酸を用いる必要はなく、本実施形態では、水溶性であれば種々の有機酸や、また、多価金属塩を反応液の反応性成分として用いることができる。有機酸や多価金属塩の含有量は、反応液に含まれる組成物の全質量を基準として、０．１質量％以上９０．０質量％以下であることが好ましく、１．０質量％以上７０．０質量％以下であることがより好ましい。
【００３５】
〇インクの作製
本実施形態では、上述のように、グルタル酸（富士フイルム和光純薬株式会社製）を使用し、下記の成分を混合して反応液を作製した。
【００３６】
グルタル酸                                                              ２部
２−ピロリドン                                                          ５部
２−メチル１，３プロパンジオール                                      １５部
アセチレングリコールＥＯ付加物                                      ０．５部
（川研ファインケミカル株式会社製）イオン交換水                          残部
（多目的センサー）
図４は、記録装置２００に取り付けられた多目的センサー１０２の構成を示す図である。本実施形態において、多目的センサー１０２は、キャリッジ６に搭載されており、キャリッジ６の走査に伴って移動しながら、記録媒体上の画像の濃度や光沢度を取得する。多目的センサー１０２の下面は、記録ヘッド５の吐出口面と同位置もしくはそれよりも記録媒体から離れた位置に配置されている。
【００３７】
多目的センサー１０２には、Ｒ、Ｇ、Ｂの３つの可視ＬＥＤで実現される２つの発光部３０２及び３０４、フォトダイオードで実現される受光部３０３が設けられている。発光部３０２からの照射光が４５°の角度で記録媒体に入射し、同一の角度で反射した光、すなわち正反射光が、受光部３０３において受光される。発光部３０２と受光部３０３の組み合わせによって正反射センサーとして機能し、これを正反射センサー３１０とする。後述するように、正反射光は、記録媒体表面の凹凸や屈折率の影響を受けて反射光量が変化する。このため、正反射センサー３１０は、記録媒体の光沢度の検出に用いられる。また、発光部３０４からの照射光は、０°の角度で記録媒体に入射し、その反射光が受光部３０３において受光される。すなわち、発光部３０４と受光部３０３の組み合わせによって乱反射センサーとして機能し、これを乱反射センサー３１１とする。乱反射センサー３１１は、正反射光を含まない乱反射光を検出する。このため、乱反射センサー３１１は、記録媒体表面の色濃度を検出する濃度センサーとして用いられる。
【００３８】
後述するキャリブレーション工程においては、搬送方向への記録媒体１の搬送と、多目的センサー１０２が取り付けられたキャリッジ６の走査方向への走査とが交互に行われる。多目的センサー１０２における乱反射センサー３１１は、記録媒体１上に記録された各パッチの濃度を光学反射率として検出し、パッチパターンの記録濃度測定を行う。記録媒体上に形成されたパッチ上に光を照射し、パッチの濃度を反映した反射強度のレベルを検知する。記録媒体表面の色が白い場合には、反射強度が強くなり、濃度の高いパッチほど反射強度が弱くなる。一方、多目的センサー１０２における正反射センサー３１０は、記録媒体１上に記録された各パッチの光沢度を光学反射率として検出し、光沢度測定を行う。本実施形態では、発光部３０４から測定面に対して照射された照射光の照射範囲の中心点と、発光部３０４の中心と、を結ぶ直線を、発光素子の光軸とする。この発光素子の光軸は、照射光の光束の中心でもある。また、測定対象表面において、受光部３０３が受光可能である領域（範囲）の中心点と、受光部３０３の中心と、を結ぶ線を、受光素子の光軸（受光軸）とする。この受光軸は、測定面で反射し、受光部３０３に受光される反射光の光束の中心でもある。尚、正反射センサー３１０の受光部と乱反射センサー３１１の受光部として受光部３０３を共有せず、センサー毎に個別に受光部を設ける形態であってもよい。また、発光部３０２及び３０４のＬＥＤの色数は、上記の数には限られない。
【００３９】
（画像処理方法）
次に、記録装置２００において画像を記録するための記録データを生成するための画像処理方法について説明する。
【００４０】
図５は、本実施形態の画像処理動作の流れを示す図である。ここでは、レッド（Ｒ）、グリーン（Ｇ）、ブルー（Ｂ）の各色８ビットの輝度データから、記録ヘッド５の各吐出口からのインク滴の吐出または非吐出を示す１ビットのビットイメージデータが生成されるまでの処理が行われる。尚、各データの要素としての色の種類や色の階調はこれらの値に限られるものではない。
【００４１】
まず、ホスト装置１００からＲ、Ｇ、Ｂそれぞれ８ビットの輝度信号で表現される画像データが記録装置２００に送信される。ここでは、各色２５６階調の多値データである。続いて、ステップＳ４０１において、色空間変換前処理（以下、前段色処理とも称する。）がなされる。多次元のＬＵＴ４０１を用いて、Ｒ、Ｇ、Ｂ多値の輝度信号で表現される画像データが、Ｒ′、Ｇ′、Ｂ′多値のデータに変換される。この前段色処理は、記録対象におけるＲ、Ｇ、Ｂの画像データが表す入力画像の色空間と、記録装置２００で再現可能な色空間と、の間の差を補正するために行われる。
【００４２】
次に、ステップＳ４０２において、色変換処理（以下、後段色処理とも称する。）がなされる。記録装置２００において、ホスト装置１００より前段色処理が施されたＲ′、Ｇ′、Ｂ′各色のデータを受信する。受信されたＲ′、Ｇ′、Ｂ′各色のデータは、多次元ＬＵＴ４０２を用いて、インク色であるＣ、Ｍ、Ｙ、Ｋ、Ｓの多値のデータに変換される。この後段色処理は、輝度信号で表現される入力側のＲＧＢ値の画像データを、濃度信号で表現するための出力側のＣＭＹＫＳ値の画像データに変換する処理である。
【００４３】
次に、ステップＳ４０３において、後段色処理が施されたＣ、Ｍ、Ｙ、Ｋ、Ｓの多値データに対し、一次元のＬＵＴを用いて、色毎に出力γ補正処理が行われる。一般的に、記録媒体の単位面積当たりに付与されるインク滴（ドット）の数と、記録された画像を測定して得られる反射濃度等の記録特性との関係は、線形にはなっていない。そのため、Ｃ、Ｍ、Ｙ、Ｋ、Ｓ各１０ビットの入力階調レベルと、それに基づいて記録される画像の濃度レベルとが線形関係となるように、Ｃ、Ｍ、Ｙ、Ｋ、Ｓの多値の入力階調レベルを補正するための処理が必要である。これが出力γ補正処理である。ここで用いられる一次元のＬＵＴを、出力γ補正テーブル４０３と称する。
【００４４】
次に、ステップＳ４０４において、色ずれ補正処理が行われる。前述のステップＳ４０３において用いられる出力γ補正テーブル４０３は、標準的な記録特性を示す記録ヘッド用に作成されたものが用いられることが多い。しかし、前述したように、記録ヘッドもしくは吐出口には吐出特性に関して個体差がある。このため、標準的な吐出特性を示す記録ヘッドもしくは吐出口の記録特性を補正する出力γ補正テーブルだけでは、全ての記録ヘッドもしくは吐出口に対して適切な濃度補正をすることができない。このため、本実施形態では、出力γ補正が施されたＣ、Ｍ、Ｙ、Ｋ、Ｓの多値データについて色ずれ補正処理を行うことにより、画像記録時の各インクの付与量を決定する。
【００４５】
色ずれ補正処理において用いる色ずれ補正用一次元ＬＵＴは、キャリブレーション工程において取得される、吐出口列毎の吐出特性を示す情報に基づいて設定される。この吐出特性を示す情報は、色材を含有する有色インク（Ｃ、Ｍ、Ｙ、Ｋ）については濃度値情報であり、色材を含有しない透明インク（Ｓ）については光沢度情報である。尚、本明細書では、記録材としてのインクの付与量を示すデータを補正する工程を「色ずれ補正」と称するが、既に定まっているデータを補正する場合に限られず、新たに決定する場合であっても「色ずれ補正」と称する。また、色材を含有しない透明インクの吐出特性に対する付与量を決定する処理についても、有色インクと同様に、色ずれ補正処理と称する。
【００４６】
色ずれ補正処理が施された後、ステップＳ４０５において、誤差拡散やディザパターン等を用いてハーフトーン処理や、Ｉｎｄｅｘ展開による量子化処理が施される。これらの処理により、記録ヘッドからのインク滴の吐出または非吐出を示すＣ、Ｍ、Ｙ、Ｋ、Ｓそれぞれ２値の記録データが生成され、出力される。
【００４７】
（キャリブレーション工程）
次に、本実施形態の特徴構成である、キャリブレーション工程について説明する。キャリブレーション工程は、前述した色ずれ補正ＬＵＴを生成するための処理であり、画像が記録されていないときに、ユーザの指示で実行される。尚、所定の条件を満たした際に、自動的に実行される形態であっても構わない。
【００４８】
本実施形態のキャリブレーションは、Ｃ、Ｍ、Ｙ、Ｋの有色インクに対する濃度特性を取得して有色インクの一次元補正ＬＵＴを生成する工程と、色材を含有しない透明インク（Ｓ）に対する光沢度特性を取得して透明インクの一次元補正ＬＵＴを生成する工程と、の２つの工程からなる。この理由について以下に説明する。
【００４９】
透明インクの光沢度特性を取得する上で、透明インク用（透明記録材用）のパッチパターンの各パッチは、色材を有する有色インクが下地として付与される。図６は、透明インクの光沢度特性を取得するためのパッチの断面図を示している。ブラック（Ｋ）インクを用いて記録されたブラックインク層（第１の層）が下地として形成され、その上に透明インク（Ｓ）を用いて記録された透明インク層（第２の層）が形成されている。図１１は、本実施形態の有色インク層を下地層として用いた透明インクのパッチパターンを測定した測定結果を示す。横軸が透明インクの付与量であり、１２００ｄｐｉ（ｄｏｔ  ｐｅｒ  ｉｎｃｈ）の解像度における１画素にインク滴を１ドット付与した場合を１００％とした場合の記録デューティを示している。縦軸は、正反射光の測定結果から取得した反射強度（光沢度）である。本グラフからわかるように、本実施形態のパッチパターンの測定結果は、一次元での増加傾向を示している。このように、パッチの下地として有色インクを付与することにより、透明インクのみで形成されたパッチを測定した場合に比べて、測定結果における変化量が大きくなるため、透明インクの付与量の差に基づく変化を得やすくすることができる。
【００５０】
ここで、有色インクを下地として用いる際には、有色インクの濃度が適正な値であり、有色インクの濃度特性が適切に補正されていることが好ましい。下地層に用いる有色インクの濃度が異なってしまうと、その上に付与される透明インクの量が同じであっても、検出される光沢度が異なってしまうからである。従って、本実施形態では、透明インクのパッチパターンを記録する前に、有色インク用（有色記録材用）のパッチパターンを記録及び測定し、有色インクに対するキャリブレーションを行う。そして、有色インクのキャリブレーションにおいて、有色インクの付与量情報として生成された一次元補正ＬＵＴを、透明インクのパッチパターンを記録するための画像データ（パッチデータ）に適用した上で、透明インクのパッチパターンを記録する。このような構成により、透明インクの光沢度特性を取得する上で、下地として付与された有色インクの吐出特性に起因するキャリブレーション精度の低下を抑制することが可能となる。
【００５１】
図７（ａ）及び（ｂ）は、色ずれ補正ＬＵＴを生成するためのキャリブレーション処理で記録されるパッチパターンを示す図である。図７（ａ）は、有色インクの各色（Ｃ、Ｍ、Ｙ、Ｋ）の階調値を変えて記録されたパッチであり、図７（ｂ）は、透明インク（Ｓ）のパッチの階調値を変えて記録されたパッチである。各パッチに記載されている英字について、Ｐａ〜Ｐｄは、有色インクの吐出口列５ａ〜５ｄを用いて記録されたパッチであることを示し、Ｐｅは、透明インクの吐出口列５ｅを用いて記録されたパッチであることを示す。また、各パッチに記載されている１〜５までの数字については、記録されたパッチの濃度階調をランク付けしたものを示している。例えば、Ｐａ１は、吐出口列５ａを用いて記録された階調値ランク１のパッチであり、Ｐｅ５は、吐出口列５ｄと吐出口列５ｅを用いて記録された階調値ランク５のパッチである。ここで、Ｐｅ１〜Ｐｅ５の各階調値１〜５は、吐出口列５ｅから吐出される透明インク（Ｓ）の階調値を示している。前述したように、Ｐｅ１〜Ｐｅ５の各パッチにおいて、下地となるブラック（Ｋ）インクの階調値は一定である。
【００５２】
図８は、Ｃ、Ｍ、Ｙ、Ｋの有色インクに対する記録装置２００の濃度特性を取得する処理の流れを示すフローチャートである。ステップＳ８０１において、ホスト装置１００の入力部やＣＰＵ、もしくは記録装置２００の操作パネル２２等から、パッチパターンを記録して有色インクの濃度特性を取得するためのキャリブレーション開始命令が入力される。キャリブレーション処理の実行の指示が入力されると、ステップＳ８０２において、記録装置２００のＣＰＵ２０ａは、給紙モータ２４を駆動して、給紙トレイから記録媒体の供給を開始する。記録ヘッドによる記録が可能な領域まで記録媒体が搬送されると、ステップＳ８０３において、図７（ａ）に示した、有色インクの濃度特性を取得するためのパッチパターンが記録される。ここでは、搬送方向へ記録媒体を搬送する搬送動作と、キャリッジモータ２を駆動して走査方向へキャリッジ６を走査させる記録走査とが交互に行われることにより、パッチパターンが記録される。
【００５３】
次に、ステップＳ８０４において、記録されたパッチパターンを乾燥させるため、タイマーカウンタをスタートし、所定時間待機させる。ステップＳ８０５において、タイマーカウンタが所定時間経過したことを示したら、ステップＳ８０６において、多目的センサー１０２の乱反射センサー３１１を用い、パッチパターンの反射強度の測定を開始する。反射強度の測定は、多目的センサー１０２に搭載されている発光部３０４のＬＥＤの中から、濃度を測定する対象のインク色に適したＬＥＤを順次点灯させ、受光部３０３で反射光（拡散光）を読み取ることによって行われる。例えば、グリーン（Ｇ）色のＬＥＤは、マゼンタ（Ｍ）インクにより記録されたパッチパターン、及び、パッチパターンが記録されていない紙白部分（白色）を測定する際に点灯する。ブルー（Ｂ）色のＬＥＤは、イエロー（Ｙ）インク、ブラック（Ｋ）インクにより記録されたパッチパターン、及び、パッチパターンが記録されていない紙白部分（白色）を測定する際に点灯する。レッド（Ｒ）色のＬＥＤは、シアン（Ｃ）インクにより記録されたパッチパターン、及び、パッチパターンが記録されていない紙白部分（白色）を測定する際に点灯する。紙白部分（白色）の測定結果は、有色インクで記録されたパッチパターンの濃度値算出を行う際の基準値として用いる。
【００５４】
パッチパターンの読み取りが終了すると、ステップＳ８０７において、各パッチの測定値と紙白部分の測定値とに基づき、対応する吐出口列毎にパッチパターンの濃度値を算出する。算出された濃度値は、記録装置２００本体内のＲＡＭ２０ｂに格納される。その後、ステップＳ８０８において、記録媒体を排出する処理が行われ、処理を終了する。
【００５５】
次に、図８の処理で取得した有色インクの濃度特性に基づき、有色インクの色ずれ補正用の一次元補正ＬＵＴを生成する。ここで生成されるのは、前述の図５のステップＳ４０４の色ずれ補正処理において用いられる一次元補正ＬＵＴのうち、有色インク分（本実施形態では、Ｃ、Ｍ、Ｙ、Ｋの４色分）である。一次元補正ＬＵＴは、図７（ａ）に示した各パッチを測定して得られる濃度値と、予め定められた所定の目標濃度（以下、ターゲット値と称する）とを比較することにより生成される。記録媒体上に記録された画像の濃度がターゲット値に補正されるように、入力値に対する出力値が設定される。ターゲット値は、予め精度の良好なインクジェット記録装置を用いて記録されたパッチパターンを読み取ることで得られた濃度値を採用してもよい。ターゲット値は極めて理想値に近い値である。
【００５６】
図１０は、ここで生成される色ずれ補正用一次元ＬＵＴ４０４を説明するための図である。図１０（ａ）は、シアンインクの吐出口列５ａを用いて記録されたパッチＰａ１〜Ｐａ５からなる、Ｐａパッチパターンを読み取って得られた濃度値と、ターゲット値を示すグラフである。図１０（ｂ）は、図１０（ａ）の値を基に生成された、シアンインク用の色ずれ補正用一次元ＬＵＴを示すグラフである。本例では、読み取られた濃度値がターゲット値よりも高いため、吐出口列５ａで記録すべき画像データに対し、出力値が入力値よりも低い値となるような一次元ＬＵＴが生成される。同様に、マゼンタインクの吐出口列５ｂを用いて記録されたパッチＰｂ１〜Ｐｂ５からなる、Ｐｂパッチパターンを読み取って得られた濃度値と、ターゲット値から、マゼンタインク用の色ずれ補正用一次元ＬＵＴを生成する。同様にして、イエローインク用の色ずれ補正用一次元ＬＵＴと、ブラックインク用の色ずれ補正用一次元ＬＵＴを生成する。
【００５７】
次に、図９を用いて、透明インクＳに対する記録装置２００の光沢度特性を取得する処理の流れについて説明する。ステップＳ９０１において、ホスト装置１００の入力部やＣＰＵ、もしくは記録装置２００の操作パネル２２等から、パッチパターンを記録して透明インク（Ｓ）の光沢度を測定するキャリブレーション開始命令が入力される。キャリブレーション処理の実行の指示が入力されると、ステップＳ９０２において、記録装置２００のＣＰＵ２０ａは、給紙モータ２４を駆動して、給紙トレイから記録媒体の供給を開始する。記録ヘッドによる記録が可能な領域まで記録媒体が搬送されると、ステップＳ９０３において、図７（ｂ）に示した、透明インクの光沢度特性を取得するためのパッチパターンが記録される。ここでは、搬送方向へ記録媒体を搬送する搬送動作と、キャリッジモータ２を駆動して走査方向へキャリッジ６を走査させる記録走査とが交互に行われることにより、パッチパターンが記録される。前述したように、光沢度特性を取得するためのパッチパターンは、ブラックインク層の下地の上に透明インク層を形成したパッチである。前述したように、透明インク用のパッチパターンを記録するためのパッチデータにおいては、図８の処理で生成された有色インクの色ずれ補正用の一次元補正ＬＵＴが適用されている。これにより、下地として記録されるブラックインク画像においては、色ずれ補正がなされており、ブラックインクの吐出特性の影響が抑制される。
【００５８】
次に、ステップＳ９０４において、記録されたパッチパターンを乾燥させるため、タイマーカウンタをスタートし、所定時間待機させる。ステップＳ９０５において、タイマーカウンタが所定時間経過したことを示したら、ステップＳ９０６において、多目的センサー１０２の正反射センサー３１０を用い、パッチパターンの反射強度の測定を開始する。反射強度の測定は、多目的センサー１０２に搭載されている発光部３０２のＬＥＤを点灯させ、受光部３０３で反射光（正反射光）を読み取ることによって行われる。本実施形態では、Ｒ、Ｇ、ＢのＬＥＤのうちいずれか１つを用いる。
【００５９】
パッチパターンの読み取りが終了すると、ステップＳ９０７において、各パッチの測定値に基づき、対応する吐出口列毎にパッチパターンの光沢度を算出する。算出された光沢度は、記録装置２００本体内のＲＡＭ２０ｂに格納される。その後、ステップＳ９０８において、記録媒体を排出する処理が行われ、処理を終了する。
【００６０】
次に、図９の処理で取得した透明インクの光沢度特性に基づき、透明インクの色ずれ補正用の一次元補正ＬＵＴを生成する。ここで生成されるのは、前述の図５のステップＳ４０４の色ずれ補正処理において用いられる一次元補正ＬＵＴのうち、透明インク（Ｓ）分である。生成手法は、有色インク用の一次元補正ＬＵＴと同様であり、パッチパターンを読み取った光沢度値と、予め定められた所定の目標光沢度（以下、ターゲット値と称する）を比較することにより生成される。
【００６１】
図１０（ｃ）は、透明インクの階調値を変化させて記録されたパッチＰｅ１〜Ｐｅ５からなるＰｅパッチパターンを読み取って得られた光沢度と、ターゲット値を示すグラフである。図１０（ｄ）は、図１０（ｃ）の値を基に生成された、透明インク用の色ずれ補正用一次元ＬＵＴを示すグラフである。本例では、読み取られた光沢度がターゲット値よりも高いため、吐出口列５ｅで記録すべき画像データに対し、出力値が入力値よりも低い値となるような一次元補正ＬＵＴが生成される。
【００６２】
尚、本実施形態では、透明インクのパッチパターンから光沢度特性を取得する際、多目的センサー１０２に搭載されている発光部３０２のＲ、Ｇ、ＢのＬＥＤのうち、いずれか１つを発光させ、正反射光の反射強度を読み取った。これは、本発明者らの検討により、正反射光の反射強度から透明インクの付与量の差を高精度に取得できることを見出したことによる。従来、前述の特許文献１に記載の正反射光の強度比率のバランスから吐出量を推定する方法や、分光反射率から吐出量を推定する方法のように、正反射光の測定結果から測定対象の色を取得し、その色から透明インクの吐出特性を推定する方法が知られていた。しかしながら、このような反射光の色から吐出特性を推定する方法では、透明インクの付与量が大きく異なっていても反射光の色が近い色を示すことがあり、高い測定精度を得ることは難しい。また、測定における再現性を得ることも難しい。これに対し、本実施形態の正反射光の反射強度から透明インクの付与量を取得する構成の場合には、図１１に示したように、透明インクの付与量と反射強度との関係が一次元の比例関係となっている。このため、反射強度と透明インクの付与量との関係が明確であり、反射光の色から透明インクの付与量を推定する方法に比べて、高精度に付与量を推定することができる。また、測定に必要なセンサーとしては発光部にＬＥＤが少なくとも１つあればよく、分光反射率を測定するための測定系も不要であるというメリットもある。
【００６３】
以上のように、本実施形態では、透明インクの光沢度特性を補正するためのキャリブレーションにおいて、透明インク層の下に、下地層として有色インクを付与したパッチパターンを記録した。そして、正反射センサーを用いて、透明インクのパッチパターンの正反射光の反射強度を取得し、反射強度から透明インクの色ずれ補正用ＬＵＴを生成する。これにより、パッチの色から透明インクの付与量を推定する方法に比べて高精度に透明インクの付与量を補正することが可能となる。
【００６４】
さらに、透明インクのパッチパターンの記録の前に、下地層として付与される有色インクのキャリブレーションを行い、有色インク用の補正ＬＵＴを生成する。そして、生成された有色インク用の補正ＬＵＴを、透明インクのパッチパターンの下地に用いられる有色インク層の記録用データに適用する。これにより、透明インクのキャリブレーションにおいて、有色インクの吐出特性の影響を抑制することができる。
【００６５】
尚、下地として用いる予定の有色インクのパッチパターン記録、及び、その測定値を用いた一次元補正ＬＵＴを生成する処理は、透明インクのパッチ記録の直前に行うことが好ましい。また、有色インクのパッチパターンの記録と、透明インクのパッチパターンの記録との間には、他の画像データに基づく画像の記録を行わないことが好ましい。有色インクのパッチパターンを測定した後に透明インクのパッチパターンを記録する構成であれば、有色インクのパッチパターンと透明インクのパッチパターンを同一の記録媒体上に記録する構成でも構わない。
【００６６】
また、色ずれ補正用一次元ＬＵＴは、記録媒体や印字解像度、使用環境等の条件毎に生成される構成がより好ましい。また、上述したキャリブレーション処理は、画像記録を指示するジョブを受信した際にその都度実行してもよく、前回実行時に生成された一次元補正用ＬＵＴをメモリに保存して使用してもよい。また、色ずれ補正用一次元ＬＵＴは、予め保持されている複数のテーブルから選択して設定する構成であってもよい。
【００６７】
また、本実施形態においては、透明インクのパッチパターンの下地としてブラックインクを用いたが、有色インクであればブラックインクに限られない。このとき、透明インクのキャリブレーションを高精度に行うためには、下地層として記録される有色インク層の画像の濃度は高い方が好ましい。このとき、下地層を測定した際の光学濃度であるＯＤ（Ｏｐｔｉｃａｌ  Ｄｅｎｓｉｔｙ）値が、０．５以上であることが好ましく、ＯＤ値が１．０以上であることがより好ましい。また、透明インクのパッチパターンの測定に用いるＬＥＤは、下地層にブラックインク、すなわち無彩色色材のインクを用いる場合には、どの色のＬＥＤを用いてもよい。しかし、下地層にＣ、Ｍ、Ｙのような有色インクを用いる場合には、有色インクの色に対し、色相環で９０度以上離れた色を有するカラーＬＥＤを用いて測定することが好ましい。
【００６８】
（第２の実施形態）
前述の第１の実施形態では、乱反射センサー３１１を用いて、有色インクのみで形成されたパッチパターンを読み取った濃度値から、有色インクの色ずれ補正一次元ＬＵＴを生成する例について説明した。本実施形態では、有色インクと透明インクが付与されて形成されたパッチパターンを読み取った濃度値から、有色インクの色ずれ補正一次元ＬＵＴを生成する例について説明する。
【００６９】
図１２（ａ）〜（ｃ）は、本実施形態において色ずれ補正ＬＵＴを生成するためのキャリブレーション処理で記録されるパッチパターンを示す図である。図１２（ａ）は、有色インクとしてブラックインクを用い、階調値を変えて記録されたパッチであり、ブラックインクの濃度特性の取得を目的とするものである。図１２（ｂ）は、ブラックインクと透明インクを用い、ブラックインクの階調値は一定のまま、透明インクの階調値を変えて記録されたパッチであり、透明インクの光沢度特性の取得を目的とするものである。図１２（ｃ）は、有色インク（Ｃ、Ｍ、Ｙ、Ｋの４色）の各色の階調値を変えて記録されたパッチであり、各有色インクの濃度特性の取得を目的とするものである。各パッチに記載されている英字について、Ｐｄは、ブラックインクの吐出口列を用いて記録されたパッチであることを示し、Ｐｅは、透明インクの吐出口列５ｅを用いて記録されたパッチであることを示す。また、Ｐｆは、シアンインクの吐出口列５ａと透明インクの吐出口列５ｅを用いて記録されたパッチであることを示す。同様に、Ｐｇは、マゼンタインクの吐出口列５ｂと透明インクの吐出口列５ｅ、Ｐｈは、イエローインクの吐出口列５ｃと透明インクの吐出口列５ｅ、Ｐｉは、ブラックインクの吐出口列５ｄと透明インクの吐出口列５ｅを用いて記録されたパッチであることを示す。また、各パッチに記載されている１〜５までの数字は、記録するパッチの濃度階調をランク付けしたものを示している。ただし、Ｐｅパッチの階調値は、透明インク（Ｓ）に対する階調値であり、ブラックインクの階調値は一定である。同様に、Ｐｆ、Ｐｇ、Ｐｈ、Ｐｉパッチの階調値は、有色インクの各色（Ｃ，Ｍ、Ｙ、Ｋ）に対する階調値であり、透明インクの階調値は一定である。
【００７０】
本実施形態においても、透明インク（Ｓ）と有色インク（Ｃ、Ｍ、Ｙ、Ｋのいずれか１色）の両方を用いて記録されるパッチは、有色インクの上に透明インクが付与されることで形成される。
【００７１】
本実施形態では、まず、有色インクのうち１色（ここではブラックインク）を用いてパッチパターンを記録し、キャリブレーションを行い、ブラックインクの吐出特性に対する補正ＬＵＴを生成する（図１２（ａ））。ここでは、乱反射センサー３１１を用いて濃度を測定する。そして、生成されたブラックインクの補正ＬＵＴを適用した上で、ブラックインクを下地層として用い、透明インクのキャリブレーションを行い、透明インクの吐出特性に対する補正ＬＵＴを生成する（図１２（ｂ））。ここでは、正反射センサー３１０を用いて光沢度を測定する。そして、生成された透明インクの補正ＬＵＴを適用した上で、全ての有色インク（Ｃ、Ｍ、Ｙ、Ｋ）のキャリブレーションを行い、有色インク各色の吐出特性に対する補正ＬＵＴを生成する（図１２（ｃ））。ここでは、乱反射センサー３１１を用いて濃度を測定する。尚、キャリブレーションを実行する処理の流れや一次元補正ＬＵＴの生成方法については、第１の実施形態と同様であるため、ここでは詳細の記載は省略する。
【００７２】
以上のように、本実施形態においては、第１の実施形態と同様に、下地層として用いる有色インクのキャリブレーションを行った後に、透明インクのキャリブレーションを行う。そして、第１の実施形態と異なる点は、透明インクのキャリブレーションが終わった後に。有色インクのキャリブレーションを行う。このとき、有色インクのキャリブレーションにおいて、有色インク層の上に透明インク層が形成されたパッチが用いられる。これにより、有色インクの上に透明インクが付与された実画記録に近い状態で有色インクのキャリブレーションを行うことができる。
【００７３】
尚、本実施形態では、下地層としてブラックインクを用いたため、透明インクのキャリブレーションの前にブラックインクのキャリブレーションを行った。そして、透明インクのキャリブレーション後に、透明インクが付与されたパッチで有色インク全色のキャリブレーションを行った。下地層としてブラックインク以外の色を用いる場合には、その色のインクのキャリブレーションを、透明インクのキャリブレーションよりも先に行うことが好ましい。透明インクのキャリブレーションの後に、透明インクを付与したパッチで有色インク全色のキャリブレーションを行うことが好ましいが、透明インクの下地として用いたインクについては、先にキャリブレーションを行っているため、必ずしも行わなくてもよい。
【００７４】
（第３の実施形態）
前述の第１及び第２の実施形態では、乱反射センサー３１１を用いて、パッチパターンの濃度値から有色インクの色ずれ補正用一次元ＬＵＴを生成する例を示した。本実施形態では、正反射センサー３１０を用いて、パッチパターンを測定した光沢度から有色インクの色ずれ補正用一次元ＬＵＴを生成する例について説明する。
【００７５】
図１３（ａ）〜（ｃ）は、本実施形態において色ずれ補正ＬＵＴを生成するためのキャリブレーション処理で記録されるパッチパターンを示す図である。図１３（ａ）は、有色インク（Ｃ、Ｍ、Ｙ、Ｋの４色）の各色の階調値を変えて記録されたパッチであり、各有色インクの濃度特性の取得を目的とするものである。図１３（ｂ）は、ブラックインクと透明インクを用い、ブラックインクの階調値は一定のまま、透明インクの階調値を変えて記録されたパッチであり、透明インクの光沢度特性の取得を目的とするものである。図１３（ｃ）は、有色インク（Ｃ、Ｍ、Ｙ、Ｋの４色）の各色の階調値を変えて記録されたパッチであり、各パッチの光沢度特性の取得を目的とするものである。各パッチに記載されている英字について、Ｐａ〜Ｐｄは、Ｃ、Ｍ、Ｙ、Ｋの有色インクの吐出口列５ａ〜５ｄを用いて記録されたパッチであることを示し、Ｐｅは、透明インクの吐出口列５ｅを用いて記録されたパッチであることを示す。また、Ｐｆは、シアンインクの吐出口列５ａと透明インクの吐出口列５ｅを用いて記録されたパッチであることを示す。同様に、Ｐｇは、マゼンタインクの吐出口列５ｂと透明インクの吐出口列５ｅ、Ｐｈは、イエローインクの吐出口列５ｃと透明インクの吐出口列５ｅ、Ｐｉは、ブラックインクの吐出口列５ｄと透明インクの吐出口列５ｅを用いて記録されたパッチであることを示す。また、各パッチに記載されている１〜５までの数字は、記録するパッチの濃度階調をランク付けしたものを示している。ただし、Ｐｅパッチの階調値は、透明インク（Ｓ）に対する階調値であり、ブラックインクの階調値は一定である。同様に、Ｐｆ、Ｐｇ、Ｐｈ、Ｐｉパッチの階調値は、有色インクの各色（Ｃ，Ｍ、Ｙ、Ｋ）に対する階調値であり、透明インクの階調値は一定である。
【００７６】
本実施形態においても、透明インク（Ｓ）と有色インク（Ｃ、Ｍ、Ｙ、Ｋのいずれか１色）の両方を用いて記録されるパッチは、有色インクの上に透明インクが付与されることで形成される。
【００７７】
本実施形態では、まず、有色インク全色（Ｃ、Ｍ、Ｙ、Ｋの４色）を用いてパッチパターンを記録し、キャリブレーションを行い、有色インク各色の吐出特性に対する補正ＬＵＴを生成する（図１３（ａ））。ここでは、乱反射センサー３１１を用いて濃度を測定する。そして、生成された有色インクの補正ＬＵＴを適用した上で、ブラックインクを下地層として用い、透明インクのキャリブレーションを行い、透明インクの吐出特性に対する補正ＬＵＴを生成する（図１３（ｂ））。ここでは、正反射センサー３１０を用いて光沢度を測定する。そして、生成された透明インクの補正ＬＵＴを適用した上で、有色インク全色（Ｃ、Ｍ、Ｙ、Ｋ）のキャリブレーションを再度行い、有色インク各色の吐出特性に対する補正ＬＵＴを生成する（図１３（ｃ））。ここでは、正反射センサー３１０を用いて光沢度を測定する。尚、キャリブレーションを実行する処理の流れや一次元補正ＬＵＴの生成方法については、第１の実施形態と同様であるため、ここでは詳細の記載は省略する。
【００７８】
以上のように、本実施形態においては、有色インクのキャリブレーションを行う際に、有色インク層の上に透明インクを付与して透明インク層を形成したパッチを記録し、その光沢度を測定する。そして、測定した光沢度に基づいて、色ずれ補正一次元ＬＵＴを生成する。このような構成により、正反射光の測定結果に基づいて光沢度から補正ＬＵＴを生成することが可能となる。
【００７９】
（第４の実施形態）
前述の第１〜第３の実施形態は、色ずれ補正用一次元ＬＵＴを用いて透明インクの色ずれ補正処理を実行する例を示した。本実施形態では、量子化後の有色インクのデータから間引きマスクを用いて透明インクを付与するためのデータを生成する方法について説明する。
【００８０】
図１４は、本実施形態の画像処理構成を示すブロック図である。第１の実施形態の図５で示した画像処理構成と異なる点は、ステップＳ４０２における色変換処理によって出力されるデータがＣ、Ｍ，Ｙ、Ｋの多値データであり、透明インク（Ｓ）の多値データは生成されない点である。そして、ステップＳ４０５における量子化処理後のＣ、Ｍ、Ｙ、Ｋそれぞれ２値のデータに基づいて、透明インク用のデータが生成される。透明インクの２値データは、例えば、Ｃ、Ｍ、Ｙ、Ｋの２値データの論理和を生成し、透明インクの付与量を考慮して、生成された論理和を間引くことにより生成される。このとき、透明インクの吐出特性については考慮されていない。その後、ステップＳ４０７において、間引きマスクを用い、透明インクの吐出特性に応じて透明インクの２値データを間引くための透明インクの色ずれ補正間引き処理を行う。尚、透明インクの２値データを間引くための間引きマスクは、前述の実施形態において透明インクのキャリブレーション処理において取得される透明インクの吐出口列の光沢度特性に基づいて設定される。
【００８１】
図１５（ａ）及び（ｂ）は、ステップＳ４０７の透明インクの色ずれ補正間引き処理に用いる間引きマスクを生成する処理を説明するための図である。図１５（ａ）は、吐出口列５ａで記録するパッチＰａ１〜Ｐａ５からなるＰａパッチパターンを読み取って得られた濃度値とターゲット値を示している。図１５（ｂ）は、吐出口列５ａに対する色ずれ補正用一次元ＬＵＴを示す。Ｔ１は、図１５（ａ）の測定結果に基づいて生成した５ａノズルに対する色ずれ補正用１次元ＬＵＴを示し、Ｔ２は、Ｔ１の近似曲線を求めることにより生成される補正率である。生成される間引きマスクは、ベタ画像を間引くことで補正率Ｔ２になるようなマスク形状となる。このような間引きマスクを用いて、有色インクのデータを間引くことにより、透明インクを付与するための付与データを生成する。これにより、量子化処理後の有色インクの多値データから透明インクの付与データを生成することが可能となる。
【００８２】
尚、上述の実施形態では、付与量を補正するための補正情報として一次元補正ＬＵＴを生成したが、本発明はルックアップテーブルの形態に限られず、関数等で保持する形態であってもよい。また、上述の実施形態では、記録媒体に付与する記録材としてインクを用いたが、これに限られない。有色記録材として有色インクの他に有色トナー等を用いてもよく、透明記録材として透明インクの他に透明トナー等を用いてもよい。
【００８３】
また、透明記録材として、有色インク中に含有される色材と反応する反応液を用いてもよい。反応液は、色材と反応して凝集させることで、有色インクの発色を向上させる効果を有する。反応液を付与する際には、有色インクよりも先に付与する、もしくは有色インクと同時に付与することが好ましい。例えば、反応液によって形成された反応液層の上に、有色インクを付与して有色インク層を形成することによりパッチを形成する。もしくは、反応液と有色インクとを同じ走査で付与することにより、反応液と有色インクが混在した層を形成する。透明インクを用いる場合と同様に、反応液の付与量をパッチ毎に異ならせた複数のパッチを形成し、光沢度を測定する。これにより、反応液の吐出量を推定し、反応液の補正テーブルを生成することが可能である。
【００８４】
また、上述の実施形態では、複数のパッチからなるパッチパターンを記録したが、１つ以上のパッチを記録する構成であればこれに限られない。また、ターゲット値を用いて補正値を決定する構成に限られず、透明インクの付与量が異なる複数パッチの測定結果に基づいて吐出量を推定し、補正値を決定する構成であってもよい。透明インクに含まれる材料によっては、付与量が増えれば増えるほど記録画像の光沢度が高くなるわけではなく、透明インクが記録媒体をある程度被覆すると、透明インクをそれ以上付与しても光沢度は高くならないことがある。このような特性を利用し、付与量が異なる複数パッチの光沢度の測定結果に基づいて吐出量を推定することも可能である。
【符号の説明】
【００８５】
５  記録ヘッド
１０２  多目的センサー
１００  ホスト装置
２００  記録装置
【図１】
2020124916.tif 000005
【図２】
2020124916.tif 000006
【図３】
2020124916.tif 000007
【図４】
2020124916.tif 000008
【図５】
2020124916.tif 000009
【図６】
2020124916.tif 000010
【図７】
2020124916.tif 000011
【図８】
2020124916.tif 000012
【図９】
2020124916.tif 000013
【図１０】
2020124916.tif 000014
【図１１】
2020124916.tif 000015
【図１２】
2020124916.tif 000016
【図１３】
2020124916.tif 000017
【図１４】
2020124916.tif 000018
【図１５】
2020124916.tif 000019